(57)【要約】【課題】屋外に換気を要することなく補助の空調機器を必要としないで省エネルギーを図りながら能率的に室内の空気を清浄にする。【解決手段】室３０は矩形の床面３５から立ち上がる４つの側壁３７と天井３４によって囲まれた閉鎖空間を構成し、天井３４はその中央付近に室内の空気を清浄にするために吸入する吸入口３３を配設してなり、少なくとも一対の向かい合う側壁３７、３７は、室３０外の空気が進入する進入気流９を生成するためのスリット３１をそれぞれ室３０のコーナー部３６近傍に有し、各スリット３１、３１は、進入気流９、９が吸入口３３を中心として同一回転方向になる向きに設けられ、空気清浄機６０は、吸引口６４と排出口６５とを有し、吸引口６４は、室３０の吸入口３３と接続されてなる。【選択図】  図１
2015152273.tif 000002
【特許請求の範囲】
【請求項１】
室（３０）とこの室（３０）内の空気を清浄にする空気清浄機（６０）とを備える室内空気清浄システム（１）であって、
前記室（３０）は、
矩形の床面（３５）から立ち上がる４つの側壁（３７）と天井（３４）によって囲まれた閉鎖空間を構成し、
前記天井（３４）は、その中央付近に前記室（３０）内の空気を清浄にするために吸入する吸入口（３３）を配設してなり、
少なくとも一対の向かい合う側壁（３７、３７）は、前記室（３０）外の空気が前記室（３０）内に進入する進入気流（９）を生成するためのスリット（３１）をそれぞれ前記室（３０）のコーナー部（３６）近傍に有し、各スリット（３１、３１）は、前記進入気流（９、９）が前記吸入口（３３）を中心として同一回転方向になる向きに設けられ、
前記空気清浄機（６０）は、
未清浄の空気（７）を吸引する吸引口（６４）と清浄にした空気（８）を排出する排出口（６５）とを有し、前記吸引口（６４）は、前記室（３０）内の空気が前記吸入口（３３）から吸入されるように前記吸入口（３３）と接続されてなり、
前記空気清浄機（６０）は、
前記吸引口（６４）から前記室（３０）内の空気（７）を吸引するとともに清浄にした空気（８）を前記排出口（６５）から前記室（３０）外に排出することにより、
生成された前記進入気流（９、９）が前記吸入口（３３）を中心とした旋回気流（１０）を前記室（３０）内に発生させ、前記吸入口（３３）の下部に前記吸入口（３３）に向かう竜巻状旋回流（１１）を発生させて、能率的に室内の空気を清浄にする室内空気清浄システム。
【請求項２】
室（１３０）とこの室（１３０）内の空気を清浄にする空気清浄機（１６０）とを備える室内空気清浄システム（１００）であって、
前記室（１３０）は、
矩形の床面（３５）から立ち上がる４つの側壁（３７）と天井（３４）によって囲まれた閉鎖空間を構成し、
前記天井（３４）は、その中央付近に前記室（３０）内の空気を清浄にするために吸入する吸入口（３３）を配設してなり、
少なくとも一対の向かい合う側壁（３７、３７）のうち一の側壁は、前記室（１３０）外の空気が前記室（３０）内に進入する進入気流（６、９）を生成するためのスリット（３１）を前記室（３０）のコーナー部（３６）近傍に有し、他の側壁は、その排出空気の一部が前記室（３０）内に循環されて進入する進入気流（６）を生成する循環スリット（１３１）を有した前記空気清浄機（１６０）がそれに接して設けられ、
前記スリット（３１）と前記循環スリット（１３１）は、前記進入気流（６、９）が前記吸入口（３３）を中心として同一回転方向になる向きに設けられ、
前記空気清浄機（６０）は、
未清浄の空気（７）を吸引する吸引口（６４）と清浄にした空気（８）を排出する排出口（６５）とを有し、前記吸引口（６４）は、前記室（３０）内の空気が前記吸入口（３３）から吸入されるように前記吸入口（３３）と接続されてなり、
前記空気清浄機（６０）は、
前記吸引口（６４）から前記室（３０）内の空気（７）を吸引するとともに清浄にした空気（８）を前記排出口（６５）から前記室（３０）外に排出することにより、
生成された前記進入気流（６、９）が前記吸入口（３３）を中心とした旋回気流（１０）を前記室（３０）内に発生させ、前記吸入口（３３）の下部に前記吸入口（３３）に向かう竜巻状旋回流（１１）を発生させて、能率的に室内の空気を清浄にする室内空気清浄システム。
【請求項３】
前記空気清浄機（６０）は、
未清浄の空気を吸い込む吸引口（６４）と清浄にした空気を排出する排出口（６５）とを有する密閉された機械本体（６１）と、この機械本体（６１）内に設けられた粒子除去機構（６２）と臭気除去機構（６３）とファン（６７）とを有し、
前記臭気除去機構（６３）は、吸着剤室（６３ａ）と、前記吸着剤室内に設けられた臭気を発するガス成分を除去するための通気性を有する複数の吸着剤ユニット（６６）を含む吸着剤ユニットアセンブリー（６６ｓ）を有し、
前記吸着剤ユニット（６６）は、臭気を発するガス成分を吸着する吸着剤（６６ａ）と、この吸着剤を保持する吸着剤ケース（６６ｂ）とを有し、
前記吸引口（６４）は、前記吸入口（３３）と吸引ダクト（３８）で接続され、
前記排出口（６５）は、清浄にした空気を室外に導く排出ダクト（３９）に接続され、
前記ファン（６７）は、室内の空気を前記吸引口（６４）から機械本体（６１）内に吸引し、前記粒子除去機構（６２）は、吸い込んだ空気中の粒子を除去し、前記臭気除去機構（６３）は、粒子を除去された空気から、臭気を発するガス成分を除去し、前記ファン（６７）は、臭気を発するガス成分を除去した空気を機体本体（６１）から排出する室内空気清浄システム。
【請求項４】
前記吸着剤室（６３ａ）は、前記吸着剤ユニットアセンブリー（６６ｓ）がその吸着剤ユニット（６６）の空気通過面（２４ａ、２４ｂ）が平行に並ぶように所定の間隔を開けて設けられることによって仕切られサブチャンバー（６３ａｓ）に分割されており、
各サブチャンバー（６３ａｓ）は、前記吸引口（６４）に接続されて吸入された空気が供給される入側サブチャンバー（６３ａｓｉ）と前記排出口（６５）に接続されて吸着剤ユニット（６６）を通過して排出される出側サブチャンバー（６３ａｓｏ）とが交互に配設されるように構成した請求項１から３のいずれか1項記載の室内空気清浄システム。
【請求項５】
前記入側サブチャンバー（６３ａｓｉ）において、空気が通過する断面の面積を徐々に減少させる入側ガイド板（６９ａ）を設けることにより、各吸着剤ユニット（６６）を通過する空気の流量を均一にする請求項１から４のいずれか１項記載の室内空気清浄システム。
【請求項６】
前記出側サブチャンバー（６３ａｓｏ）において、空気が通過する断面の面積を徐々に増加させる出側ガイド板（６９ｂ）を設けることにより、各吸着剤ユニット（６６）を通過する空気の流量を均一にする請求項１から５のいずれか１項記載の室内空気清浄システム。
【請求項７】
前記スリット（３１）および前記循環スリット（１３１）は、空気が通過する断面が正方形の管状部材（３１ａ、１３１ａ）を格子状に積層してなり、前記管状部材は、その奥行（ｌ）と幅（ｄ）がほぼ等しい請求項１から６のいずれか１項記載の室内空気清浄システム。
【発明の詳細な説明】
【技術分野】
【０００１】
本発明は、喫煙室などの室内の空気を清浄にする室内空気清浄システムに関する。
【背景技術】
【０００２】
喫煙室などの室内の空気を清浄にするシステムは、健康増進法の施行により、喫煙室に関しては、充分な換気を行い一酸化炭素濃度の上昇や臭気の蓄積を防ぐとともに、喫煙室から煙草の煙が外に漏れないようにすることが義務付けられた。このため、喫煙室の出入口では、少なくとも０．２ｍ／秒以上の喫煙室の内方に向かう制御気流を常時存在させ、喫煙室の扉を開けたときでも喫煙室内から煙草の煙が外に漏れないようにすることとなった。
【０００３】
これに対応するため、従来の喫煙室は一酸化炭素、臭気等除去が困難な気体が室外に漏れることを防止するため、一定量の空気を屋外に直接排気していた（たとえば、特許文献１参照）。
【０００４】
しかし、暖気または冷気を屋外に排出するのであるから、快適な室内温度を維持するためには、再度、空調を行わなければならなかった。これは、省エネルギーの観点、延いては、環境維持の観点からは、改善を期待された。
【０００５】
また、ビル内に設置される喫煙室などでは、屋外へ排気する管路を確保することが困難な場合もあった。このようなことから、屋外への排出をしない室内空気清浄システムが望まれていた。
【０００６】
一方、ビル内に設置される喫煙室は、当該ビルがビル管理法や労働安全衛生法などの法令に規定されている換気量を確保できる換気を行っている場合は、喫煙室内の空気を十分処理することができれば、屋外でなく、屋内に排気することが可能である。このため、屋外に排出することなく喫煙室内などの粉塵等を含んだ空気を短時間で効率よく吸引することができる室内空気清浄システムが提案されている。（特許文献１参照）。
【０００７】
しかしながら、従来の空気清浄機は、吸引力を高めると、ファンから発する機械音や消費電力が高くなるため、ファンの負荷を減少させる目的で、空気入口から空気出口までの圧力損失を、できるだけ低くすることが求められたが、一方で、圧力損失を低くすると、空気中の粒子や臭気を発するガス成分を除去する性能が低下することになる。
【０００８】
このため、空気等の流体の有害ガス成分の吸着除去などの処理を行う場合に、処理室内に流体透過性壁で構成し流通抵抗がある流体通路を設け、処理室内の流体透過性壁内に活性炭などの吸着剤を納め、この処理室内に導入された有害ガス成分を含有する流体が、流体通路を通る過程では流体透過性壁内の吸着剤に表面接触させるとともに、流体透過性壁を透過させる過程では吸着剤に全面的に接触させ、再び、流体通路に戻るようにして、圧力損失を低くする技術があった(たとえば、特許文献２参照)。
【０００９】
しかし、この場合でも、室内外の温度差が大きい冬夏期では空調設備に対する負荷が高くなるので別途補助用の空調機器を設置する必要が生じるのであるが、この場合補助空調機器からの送風により、かえって喫煙室内の空気を攪拌することもあり、煙草の煙を拡散し、空気清浄機の吸引口から煙草の煙を吸引するのを妨害することがあるので、より効率的な空気の清浄化が求められていた。
【先行技術文献】
【特許文献】
【００１０】
【特許文献１】特開２００６−１７０５９０号公報
【特許文献２】特開２００２−２１９３２４号公報
【発明の概要】
【発明が解決しようとする課題】
【００１１】
本発明は、このような従来事情に鑑みてなされたもので、その目的は、屋外に換気を要することなく補助の空調機器を必要としないで省エネルギーを図りながら能率的に室内の空気を清浄にすることができる室内空気清浄システムを提供することである。
【課題を解決するための手段】
【００１２】
本発明は、上記課題を達成するために提案されたものであって、下記の構成からなる。すなわち、室とこの室内の空気を清浄にする空気清浄機とを備える室内空気清浄システムであって、室は、矩形の床面から立ち上がる４つの側壁と天井によって囲まれた閉鎖空間を構成し、天井は、その中央付近に室内の空気を清浄にするために吸入する吸入口を配設してなり、少なくとも一対の向かい合う側壁は、室外の空気が室内に進入する進入気流を生成するためのスリットをそれぞれ室のコーナー部近傍に有し、各スリットは、進入気流が吸入口を中心として同一回転方向になる向きに設けられ、空気清浄機は、未清浄の空気を吸引する吸引口と清浄にした空気を排出する排出口とを有し、吸引口は、室内の空気が吸入口から吸入されるように吸入口と接続されてなり、空気清浄機は、吸引口から室内の空気を吸引するとともに清浄にした空気を排出口から室外に排出することにより、
生成された進入気流が吸入口を中心とした旋回気流を室内に発生させ、吸入口の下部に吸入口に向かう竜巻状旋回流を発生させて、能率的に室内の空気を清浄にすることを特徴とする。
【００１３】
これにより、吸引口から室内の空気を吸引するとともに清浄にした空気を排出口から室外に排出することにより、生成された進入気流が吸入口を中心とした旋回気流を室内に発生させ、吸入口の下部に吸入口に向かう竜巻状旋回流を発生させて、屋外に換気することなく補助の空調機器を必要としないで能率的に室内の空気を清浄にすることができる。
【００１４】
また、本発明は、室とこの室内の空気を清浄にする空気清浄機とを備える室内空気清浄システムであって、室は、矩形の床面から立ち上がる４つの側壁と天井によって囲まれた閉鎖空間を構成し、天井は、その中央付近に前記室内の空気を清浄にするために吸入する吸入口を配設してなり、少なくとも一対の向かい合う側壁のうち一の側壁は、室外の空気が室内に進入する進入気流を生成するためのスリットを室のコーナー部近傍に有し、他の側壁は、その排出空気の一部が室内に循環されて進入する進入気流を生成する循環スリットを有した空気清浄機がそれに接して設けられ、スリットと循環スリットは、進入気流が吸入口を中心として同一回転方向になる向きに設けられ、空気清浄機は、未清浄の空気を吸引する吸引口と清浄にした空気を排出する排出口とを有し、吸引口は、室内の空気が吸入口から吸入されるように吸入口と接続されてなり、空気清浄機は、吸引口から室内の空気を吸引するとともに清浄にした空気を排出口から室外に排出することにより、
生成された進入気流が吸入口を中心とした旋回気流を室内に発生させ、吸入口の下部に吸入口に向かう竜巻状旋回流を発生させて、能率的に室内の空気を清浄にすることを特徴とする。
【００１５】
これにより、能率的に室内の空気を清浄にすることができるだけでなく、室外空気を取り込むスリットが１カ所になるので、室の設置場所が屋内の一辺に限定されず、コーナー部であってもよく、設置の自由度が増加する。
【００１６】
この際、空気清浄機は、未清浄の空気を吸い込む吸引口と清浄にした空気を排出する排出口とを有する密閉された機械本体と、この機械本体内に設けられた粒子除去機構と臭気除去機構とファンとを有し、臭気除去機構は、吸着剤室と、吸着剤室内に設けられた臭気を発するガス成分を除去するための通気性を有する複数の吸着剤ユニットを含む吸着剤ユニットアセンブリーを有し、吸着剤ユニットは、臭気を発するガス成分を吸着する吸着剤と、この吸着剤を保持する吸着剤ケースとを有し、吸引口は、吸入口と吸引ダクトで接続され、排出口は、清浄にした空気を室外に導く排出ダクトに接続され、
ファンは、室内の空気を吸引口から機械本体内に吸引し、粒子除去機構は、吸い込んだ空気中の粒子を除去し、臭気除去機構は、粒子を除去された空気から、臭気を発するガス成分を除去し、ファンは、臭気を除去した空気を機体本体から排出することが好ましい。
【００１７】
これにより、粒子を除去したのちに、臭気を発するガス成分を除去することができるので、吸着剤を長寿命にすることができる。
【００１８】
この際、吸着剤室は、吸着剤ユニットアセンブリーがその吸着剤ユニットの空気通過面が平行に並ぶように所定の間隔を開けて設けられることによって仕切られてサブチャンバーに分割されており、各サブチャンバーは、吸引口に接続されて吸入された空気が供給される入側サブチャンバーと排出口に接続されて吸着剤ユニットを通過して排出される出側サブチャンバーとが交互に配設されるように構成することが好ましい。
【００１９】
これにより、空気清浄機の設置スペースが限られる場合であっても、同一設置面積であればより大きい空気通過面の面積を確保することができ、通過速度を低減できるなど、臭気除去性能を向上させることができる。
【００２０】
この際、空気入側通路となるサブチャンバーにおいて、空気が通過する断面の面積を上流側から下流側にかけて徐々に減少させるガイド板を設けることにより、各吸着剤ユニットを通過する空気の流量を均一にすることが好ましい。
【００２１】
これにより、通過する空気の風速を均一にできるので、吸着剤を通過する空気に片寄りがなくなり、空気中の臭気を発するガス成分を平均的に除去できて、吸着剤の消耗も均一になり、吸着能力を安定化し、長寿命化することができる。
【００２２】
この際、空気出側通路となるサブチャンバーにおいて、空気が通過する断面の面積を上流側から下流側にかけて徐々に増加させるガイド板を設けることにより、各吸着剤ユニットを通過する空気の流量を均一にすることが好ましい。
【００２３】
これにより、通過する空気の風速を均一にできるので、吸着剤を通過する空気に片寄りがなくなり、空気中の臭気を発するガス成分を平均的に除去できて、吸着剤の消耗も均一になり、安定した吸着能カと長寿命とを得ることができる。
【００２４】
この際、吸着剤ユニットは、少なくとも２枚重ねとし、それぞれの吸着剤ケースに、異なる吸着特性の薬剤を添着した吸着剤を充填することが好ましい。
【００２５】
これにより、機械本体の吸着剤室内に入った空気は、２枚重ねした吸着剤ユニットにそれぞれ充填した異なる吸着特性の薬剤を添着した吸着剤により、臭気を発するガス成分を複合的に除去することができる。
【００２６】
この際、機械本体内における吸着剤室の上流側に、吸引口から、順次、空気中に浮遊する粗い粒子を除去するプレフィルター、細かい粒子を除去する電気集塵装置および該電気集塵装置により除去できなかった細かい粒子を除去する機械式フィルターを、配設することが好ましい。
【００２７】
これにより、浮遊粒子による吸着剤の劣化が抑えられ、吸着剤の寿命が長期化できる。
【００２８】
この際、スリットおよび循環スリットは、空気が通過する断面がほぼ正方形の管状部材を格子状に積層してなり、管状部材は、その奥行（ｌ）と幅（ｄ）がほぼ等しくなるようにすることが好ましい。
【００２９】
これにより、スリットを通過した空気および循環スリットを通過した空気は、各管状部材の断面軸方向に向かって整流された進入気流となるので、室内に旋回気流を生成しやすくなる。
【発明の効果】
【００３０】
本発明は、屋外に換気を要することなく補助の空調機器を必要としないで省エネルギーを図りながら能率的に室内の空気を清浄にすることができる室内空気清浄システムを提供することができる。
すなわち、室内の旋回気流により室内の空気中の煙草の煙などの清浄化の対象物質の拡散を抑制し、竜巻状旋回流により直ちに吸引口から空気清浄機内に吸引し、室内空気を屋外に換気することなく清浄にすることができる。
【発明を実施するための形態】
【００３１】
以下に、図面を参照して本発明を実施するための形態について説明する。
【実施例１】
【００３２】
図１および図２に、本例の室内空気清浄システム１を示す。室内空気清浄システム１は、室３０とこの室３０内の空気を清浄にする空気清浄機６０とを備える。図１は、本発明の室内空気清浄システムの実施形態（実施例１）を示す模式平面図である。図２は、図１に示す室内空気清浄システムのＡ−Ａ視断面図である。
【００３３】
本例の概略は、天井３４の中心付近に吸入口３３を有した室３０内に吸引口６４および排出口６５を有した空気清浄機６０を設置し、一対の側壁３７に室外の空気を取り入れるためのスリット３１が設けられている。このスリット３１は室外から室内に進入する空気が側壁３７に沿って進入気流９を発生する向きに形成されている。空気清浄機６０を作動させることで、進入気流９により室３０内に旋回気流１０を発生させ、室３０の中心部に配設した吸引口６４に向かう竜巻状旋回流１１を発生させる。以下、本例の室内空気清浄システム１について、説明する。
【００３４】
（室）
室３０は、その床面３５が正方形に近い矩形形状である。室３０は、建築物、車両、船舶、航空機などの内部に設けてもよく、部屋の一部を間仕切りなどにより閉鎖空間として仕切ってもよい。床面３５から立ち上がる４つの側壁３７と天井３４によって囲まれる閉鎖空間を構成している。
室３０は、その天井３４の中央付近に、室３０内の未清浄の空気７を空気清浄機６０により清浄にするために吸入する吸入口３３を有している。吸入口３３は、後述の空気清浄機６０の吸引口６４と吸引ダクト３８を介して接続されている。
側壁３７には、人が出入りするための引き戸式の出入口（不図示）を設けてもよい。この出入口は、人の出入りがないときは、室内の空気の流れを乱さないように閉められている。
【００３５】
（スリット：位置、開口面積）
図１０に、スリット３１の斜視図を示す。スリット３１は、室３０外の空気が室３０内に進入する進入気流９を生成するものである。図１１（ａ）は、その一部の拡大斜視図を示しており、スリット３１は、枠３１ｂとその内側に格子状に積層した管状部材３１ａとからなり、管状部材３１ａは、空気が通過する管状の箇所の断面がほぼ正方形である。
スリット３１は、一対の向かい合う側壁３７のコーナー部３６近傍に設けられている。空気清浄機６０が動作を開始して吸入口３３から室内の空気を吸入すると、負圧となった室（３０）内には、吸入した空気と同量の空気がスリット３１を通して側壁３７に沿って室３０内に進入する。各スリット３１の向きは、室内に進入する進入気流９が吸入口３３を中心として同一回転方向になるように設けられる。スリット３１は、その他の側壁に同様にさらに設けることができる。
【００３６】
（スリット：整流）
スリット３１から進入する進入気流９は、整流されていることが安定な旋回気流１０を得るために好ましい。このため、スリット３１は、図１１（ａ）に模式的に示すように、枠３１ｂの中に空気が通過する断面がほぼ正方形の管状部材３１ａを格子状に積層している。そして、図１１（ｂ）に示すように、管状部材３１ａは、その奥行ｌと幅ｄがほぼ等しくなるように形成されている。このように形成すると、室外から進入する空気が充分な助走距離を取ることができ整流されるので、好ましい。
また、管状部材３１ａの管状の箇所の断面が矩形の場合は、その長辺を幅ｄとして、その奥行ｄと等しくなるようにすることが同様の理由で好ましい。
なお、室３０の床面３５は、必ずしも矩形形状である必要はないが、円形形状等他の型状である場合は、側壁３７に設けられたスリット３１から進入する進入気流９が側壁３７に沿って進入するようにすれば、旋回気流１０を得るための好ましい進入気流９を得ることができる。
【００３７】
（スリット：開口面積）
必要な進入気流の風量を得るスリットの寸法を算出するには、次のように開口面積Ｓ（スリットの幅と高さ）を求めればよい。このスリット３１の開口面積Ｓは、吸入口３３からの吸入空気量とスリット３１からの進入気流９の風速から、吸入空気量を風速で除した数値として求められる。たとえば、吸入空気量を５ｍ３／分とし、スリット３１からの進入気流９の風速を０．２ｍ／秒とした場合のスリットの開口面積Ｓは、
Ｓ＝５／（０．２×６０）≒０．４２ｍ２
となる。
ここで、室３０の高さを２．２ｍとし、スリット３１が床から天井まで設置されているとすると、スリット３１の幅Ｗは、
Ｗ＝０．４２ｍ２／２．２ｍ≒０．１９ｍ
となる。
したがって、スリット３１の寸法は、幅０．１９ｍ、高さ２．２ｍと計算できる。
【００３８】
（空気清浄機）
次に、空気清浄機６０について説明する。
図３は、図1に示す空気清浄機６０の正面パネルを開けた模式正面図、図４（ａ）は、図１に示す空気清浄機６０の内部を模式的に示したもので、図４（ｂ）は、図４（ａ）の空気清浄機６０のＣ−Ｃ視断面模式図である。
図３に示すように、空気清浄機６０は、機械本体６１内に粒子除去機構６２、臭気除去機構６３およびファン６７を備える。
【００３９】
（空気清浄機：機械本体）
図３および図４（ａ）に示すように、機械本体６１は、密閉された箱体をなし、内部の前面側には上部から順番に、粒子除去機構６２、臭気除去機構６３およびファン６７が結合されて備えられている。機械本体６１の最上部には、吸引口６４および排出口６５が設けられている。
【００４０】
（空気清浄機：機械本体内部）
図４（ｂ）の白抜き矢印に示すように、機械本体６１の最上部に設けられた吸引口６４からファン６７により吸引された空気は、粒子除去機構６２のプレフィルター６２ａ、電気集塵装置６２ｂ、およびいわゆる機械式フィルター６２ｃを通って順次空気中の粒子が取り除かれ、臭気除去機構６３を通って空気中に含まれる臭気を発するガス成分が取り除かれる。清浄になった空気は、ファン６７により機械本体６１の後面側の空気通路に送出され、機械本体６１の最上部に設けられた排出口６５から排出される。
【００４１】
（空気清浄機：粒子除去機構）
粒子除去機構６２は、吸引口６４の直下にあって吸引口６４と接続されており、機械本体６１内に吸引した空気中に浮遊する粒子を除去する。図４に示すように、吸引口６４の直下に粗い粒子を除去するプレフィルター６２ａ、その次段に、細かい粒子を除去する電気集塵装置６２ｂ、その次段に、さらに細かい粒子を除去するいわゆる機械式フィルター６２ｃを、配設してなる。このように粒子除去機構６２を段階的に構成することにより、早期の目詰まりを防止して省メンテナンスを図るとともに目標とする微粒子まで効率的に取り除くことができる。
【００４２】
（プレフィルター）
粒子除去機構６２の最上流側に設けられたプレフィルター６２ａは、次段の電気集塵器６２ｂの前段階として、吸引口６４から吸引した空気中に浮遊する粗い粒子を除去するもので、不織布またはメッシュ状の金網で構成される。主として、目視可能なものをターゲットにしており、粒子径が１０〜２０μｍ以上のものまで除去することができる。
【００４３】
（電気集塵装置）
プレフィルター６２ａにより浮遊する粗い粒子を除去した空気は、次段の電気集塵装置６２ｂにより、さらに細かい粒子を除去する。主として、粒子径が０．３μｍ以上のものをターゲットとしている。
【００４４】
電気集塵装置６２ｂは、いわゆる２段荷電型電気集塵機と呼ばれる公知のものを用いることができる。この電気集塵器は、コロナ放電などにより空気中の浮遊粒子を帯電させるためのイオン化線およびイオン化電極を有するイオン化部と、帯電した浮遊粒子をクーロン力により捕集するための集塵電極板と集塵対電極板を交互に配置しこれらをスペーサで等間隔に備えた集塵部と、イオン化部および集塵部に電力を供給する電源とを備えてなる。このような電気集塵装置６２ｂは、イオン化線とイオン化電極との間、並びに集塵電極板と集塵対電極板との間を空気が通過するので、圧力損失が少なく、空気中の微粒子を効率よく除去できる。
【００４５】
（機械式フィルター）
電気集塵装置６２ｂにより浮遊する細かい粒子を除去された空気は、次段の機械式フィルター６２ｃにより、さらに細かい粒子を除去する。この機械式フィルター６２ｃは、ＨＥＰＡフィルターまたは準ＨＥＰＡフィルターを使用することができる。ＨＥＰＡフィルタは、規定風量１１．５ｍ３／分で９９．９７％（計数法）除去できるものを用いることができ、準ＨＥＰＡフィルターは、規定風量１１．５ｍ３／分で９９．０％（計数法）除去できるものを用いることができる。
【００４６】
（臭気除去機構）
図３に示す臭気除去機構６３は、吸着剤ユニットアセンブリー６６ｓを吸着剤室６３ａ内に配設してなる。吸着剤ユニットアセンブリー６６ｓは、通気性を有するように吸着剤６６ａを吸着剤ケース６６ｂに充填した吸着剤ユニット６６を空気通過面２４ａ、２４ｂが縦に並ぶように設けられている。空気清浄機６０の吸引口６４から入った空気が粒子除去機構６２を通過して空気中の浮遊粒子を除去されたのちに、少なくとも1つの吸着剤ユニット６６を通過して、空気清浄機６０の排出口６５から排出する。
【００４７】
（臭気除去機構：吸着剤ユニット）
図５は、吸着剤ケース６６ｂの斜視図、図６は、吸着剤ユニット６６を２つ縦に重ねた吸着剤ユニットアセンブリー６６ｓの側面模式図を示している。
吸着剤ユニット６６は、充填した吸着剤６６ａの再生処理や取り替えが簡単にできるように、吸着剤ユニットアセンブリー６６ｓとして吸着剤室６３ａに着脱自在に配設されている。吸着剤６６ａは、活性炭を用いているが、吸着性能が優れた他の物質であってもよい。以降、吸着剤６６ａは活性炭６６ａとして、吸着剤ユニット６６は活性炭ユニット６６として、吸着剤室６３ａは活性炭室６３ａとして、記載する。
【００４８】
（臭気除去機構：活性炭ユニット６６）
活性炭ユニット６６は、図５および図６に示すように、底板６６ｂ１、枠柱６６ｂ２および蓋６６ｂ３からなる構造部材に網６６ｂ４を張った平箱状の吸着剤ケース６６ｂの中に粉粒状の活性炭６６ａを充填してなる。網６６ｂ４は、吸着剤ケース６６ｂの外表面のみならず、吸着剤ケース６６ｂの内部にも備えることができる。図６は、これを示したもので、内部の網６６ｂ４は、吸着剤ケース６６ｂ４を２つに仕切ることができ、後述のように、２つの性能の異なる吸着剤６６ａをそれぞれ充填することもできる。
網６６ｂ４は、空気が活性炭６６ａと接触しながら活性炭ユニット６６を通過するように通気性がある目が粗いものであって、かつ、充填した活性炭６６ａが抜け落ちない程度に目が細かいものが選択される。
また、活性炭ユニット６６は、そのままの状態で活性炭６６ａの再生処理ができるように、活性炭６６ａの再生処理に耐えうる材質、たとえば、ステンレススチールなどで構成されるのが好ましい。
【００４９】
（臭気除去機構：活性炭ユニットアセンブリー６６ｓ、サブチャンバー６３ａｓ）
活性炭ユニットアセンブリー６６ｓは、図６に示すように、活性炭ユニット６６を２段積み上げてジョイントとボルトなどの結合部材６６ｃにより結合し固定している。活性炭ユニットアセンブリー６６ｓは、図７の活性炭室６３ａの斜視概念図に示すように、機械本体６１内の活性炭室６３ａにおいて、活性炭室６３ａ内の天井側と床面側に設けられた活性炭ユニット受け（不図示）に、活性炭室６３ａに空気清浄機６０の正面側から挿し込んで活性炭室６３ａを仕切り、活性炭室６３ａを分割してサブチャンバー６３ａｓを形成する。
【００５０】
活性炭ユニットアセンブリー６６ｓを通過する空気の流れは、図６に白抜き矢印で示すように、図６の右手側の活性炭ユニット６６の通過面入側２４ａから活性炭ユニット６３ａに空気が入り、活性炭ユニット６６の通過面出側２４ｂから出ていく。
【００５１】
活性炭室６３ａは、図７に示すように、吸着剤ユニットアセンブリー６６ｓは、その吸着剤ユニット６６の通過面２４ａ、２４ｂ同士が平行に並ぶように所定の間隔を開けて設けられることによって活性炭室６３ａを仕切りサブチャンバー６３ａｓに分割されている。
各サブチャンバー６３ａｓは、吸引口６４に接続されて吸入された空気が供給される入側サブチャンバー６３ａｓｉと排出口６５に接続されて吸着剤ユニット６６を通過して排出される出側サブチャンバー６３ａｓｏとが水平方向に交互に配設されている。
【００５２】
活性炭ユニット６６は２段積みになって吸着剤ユニットアセンブリー６６ｓを構成しているので、空気が通過する通過面２４ａ，２４ｂの面積は２倍となる。本例では、５つのアセンブリー６６ｓ１〜５によって、全部で６つのサブチャンバー６３ａｓ１〜６に分けられている。このうち３つのサブチャンバー６３ａｓｉ（６６ａｓ２、６６ａｓ４、６６ａｓ６）は、粒子除去機構６２で粒子を除去された空気が空気入側開口１３から臭気除去機構６３に供給される吸入空気通路２０となり、その他の３つのサブチャンバー６３ａｓｏ（６６ａｓ１、６６ａｓ３、６６ａｓ５）が空気出側開口１４から排出される排出空気通路２２となる。
【００５３】
これらのサブチャンバー６３ａｓは、入側サブチャンバー６３ａｓｉと出側サブチャンバー６３ａｓｏが交互に並ぶように構成しているので、活性炭室６３ａの限られた容積内で活性炭ユニット６６の通過面２４ａ、２４ｂの面積をより大きく取ることができ、吸収性能を向上させることができる。
また、通過面２４ａ、２４ｂの面積を大きく取ることができると、活性炭ユニット６６を通過する空気の平均通過速度を低減でき、したがって、平均圧力損失も低減させることができる。そうすると、空気中に含有する臭気を発する気体などの有害ガス成分を、活性炭ユニット６６内の活性炭６６ａにより除去しつつ、低圧力でファン６７を使用することが可能となるので、ファン６７による騒音を低減し、かつ、消費電力も低減することが可能となる。
【００５４】
（空気清浄機：ファン）
ファン６７は、図３に示すように、臭気除去機構６３の下流側の機械本体６１内の最下部に設けられている。ファン６７は、旋回気流１０内に包まれて漂う煙草の煙を周囲の空気とともに吸引口６４に吸引ダクト３８で接続された吸入口３３から吸引し、機械本体６１内の粒子除去機構６２および臭気除去機構６３で清浄にした空気を排出口６５から排出する送風機である。ファン６７は、スリット３１から進入する空気量を賄う容量および圧力を有することができれば、そのほかは特に限定がない。
【００５５】
（室内空気清浄システム１の作用）
ファン６７を作動させると、図４（ｂ）の下向きの白抜き矢印で示すように、吸引口６４付近は負圧が生じ、空気７は吸引口６４から機械本体６１内に入り、まず、粒子除去機構６２のプレフィルター６２ａにより空気中に浮遊している粗い粒子が除去される。次に、電気集塵装置６２ｂにより、空気中に浮遊している細かい粒子が除去され、さらに、機械式フィルター６２ｃにより、電気集塵装置６２ｂによって除去出来なかった細かい粒子が除去される。空気がこの粒子除去機構６２を通過することにより、空気中に含まれる浮遊粒子成分はほほ除去される。
【００５６】
続いて、空気は臭気除去機構６３に入る。臭気除去機構６３は、活性炭室６３ａにより構成されており、図８に示されるように、空気入側開口１３から吸着剤室６３ａに入った空気は、吸着剤ユニットアセンブリー６６ｓの吸着剤ユニット６６内の吸着剤６６ａと接触し、臭気を発するガス成分が除去される。
【００５７】
吸着剤ユニット６６を通過して空気出側通路１４に出た空気は、図４（ｂ）の上向きの白抜き矢印で示すように、ファン６７によって機械本体６１内の背面側を送られ、機械本体６１の最上部に設けられた排出口６５から排出される。排出口６５は、排出ダクト３９と接続され、清浄にされた空気は室３０外に排出される。
【００５８】
空気清浄機６０を作動させることで、進入気流９により室３０内に旋回気流１０を発生させ、室３０の中心部に配設した吸引口６４に向かう竜巻状旋回流１１を発生させる。これにより、室内空気清浄システム１は、屋外に換気を要することなく補助の空調機器を必要としないで能率的に室内の空気を清浄にすることができる。
【００５９】
（入側ガイド板）
活性炭室６３ａ内の空気の入側サブチャンバー６３ａｓｉは、その吸入空気通路２０の上流側２０ａから下流側２０ｂにかけて、吸入空気通路２０の断面積を徐々に減少するための入側ガイド板６９ａを、図９に示すように、傾斜させて設けてもよい。
【００６０】
このようにすると、入側サブチャンバー６３ａｓｉに入った空気は、入側ガイド板６９ａにより、吸入空気通路２０の上流側２０ａから下流側２０ｂに行くに従い、その流量を減少しながら活性炭ユニット６６の通過面２４ａに到達して活性炭６６ａを通過する。その際に、流量が減少するだけでなく同時に断面積も減少するので、各活性炭ユニット６６を通過する空気の風速を均一にすることができる。
【００６１】
このため、活性炭ユニット６６において、通過する空気の部分的な片寄りが少なくなり、空気中の臭気を発するガス成分を各活性炭ユニット６６の活性炭６６ａが平均的に除去することができるので、活性炭ユニット６６ごとの活性炭６６ａの吸着能力に部分的なバラツキが生じず、活性炭ユニット６６全体として安定した吸着能力と長寿命とを得ることができる。
【００６２】
（出側ガイド板）
また、活性炭室６３ａの出側サブチャンバー６３ａｓｏは、その排出空気通路２２の上流側２２ａから下流側２２ｂにかけて、排出空気通路２２の断面積を徐々に増加するための排出側ガイド板６９ｂを、図９に示すように、傾斜させて設けてもよい。
【００６３】
このようにすると、活性炭ユニット６６を通過して出側サブチャンバーａｓｏに至った空気は、出側ガイド板６９ｂにより、排出空気通路２２の上流側２２ａから下流側２２ｂに行くに従い、その流量を増加しながら、排出される。その際に、流量が増加するだけでなく同時に断面積も増加するので、各活性炭ユニット６６を通過する空気出側１４の空気の風速を均一にすることができる。
【００６４】
このため、活性炭ユニット６６において、通過する空気の部分的な片寄りが少なくなり、空気中の臭気を発するガス成分を各活性炭ユニット６６の活性炭６６ａが平均的に除去することができるので、活性炭ユニット６６ごとの活性炭６６ａの吸着能力に部分的なバラツキが生じず、活性炭ユニット６６全体として安定した吸着能力と長寿命とを得ることができる。
なお、入側ガイド板６９ａおよび出側ガイド板６９ｂは、入側サブチャンバー６３ａｓｉおよび出側サブチャンバー６３ａｓｏの双方に設けているが、いずれか片方のみに設けてもよい。
【００６５】
（異なる吸着特性の薬剤）
活性炭ユニット６６は、図６に示すように、網６６ｂ４を活性炭ケース６６ｂの内部にも備える場合は、これを中間の仕切りとして、活性炭６６ａの充填箇所が２か所に分けられる。このため、異なる吸着特性の薬剤を添着した活性炭６６ａをそれぞれの充填箇所に充填してもよい。
たとえば、一方に酸性系ガスを吸着するものとし、他方に、塩基性系ガスを吸着するものとすることができ、空気中の酸性系ガスおよび塩基性系ガスを同時に効率よく除去することができる。
【００６６】
また、本例では、電気集塵装置６２ｂと次段の機械式フィルター６２ｃとを上下に直列に配設したが、いずれか一方のみを配設することもできる。処理すべき空気の汚染度や処理の程度、あるいは、活性炭６６ａの再生や交換の期間などを勘案して、電気集塵装置６２ｂと機械式フィルター６２ｃとを双方とも配設するか、いずれか一方のみを配設するか、選択すればよい。
【００６７】
（実験例）
以下に、本例の室内空気清浄システム１について、有利な点を実験データを示して説明する。以下のように、通常の場合（以下、標準排気という。）と、本例の場合（以下、竜巻排気という。）とを比較して、試験室の室内粉塵濃度の測定を行った。
【００６８】
〈試験例１〉
本例の竜巻排気の試験室の大きさは、１８００ｍｍ幅×２７００ｍｍ長さ×２１００ｍｍ高さで、部屋の長さ方向の一方に５２５ｍｍ長さ×１２５０ｍｍ幅×２０００ｍｍ高さの空気清浄機のダミーを置いた。直径３００ｍｍの吸引口を部屋の天井の中央付近に設け、吸引ダクトを介して、２０ｍ３／分で吸引した。部屋の長さ方向の他方のコーナー部に３００ｍｍ幅で１０００ｍｍ高さの給気口を設けた。さらに部屋の一方のコーナー部に、同一サイズの給気口を設けた。
【００６９】
〈対照例１〉
標準排気の試験室の大きさおよび空気清浄機のダミーの設置個所は、試験例１と同様である。直径３００ｍｍの吸引口を、空気清浄機のダミーの直上の天井に設け、同様に、吸引ダクトを介して、２０ｍ３／分で吸引をした。部屋の長さ方向の他方は、１７００ｍｍ幅で４６５ｍｍ高さの給気口を設けた。
【００７０】
給気口を閉じた後に、両試験室内に火をつけたたばこを自然燃焼させ、たばこの煙（粉塵）を発生させた。粉塵発生中は、室内の空気を撹拌し、均一に広がるようにした。
【００７１】
給気口を開放した後に、吸引口から室内の空気を吸引した。試験例１では、給気口から進入した進入気流が吸入口を中心とした旋回気流を室内に発生させ、吸入口の下部に吸入口に向かう竜巻状旋回流を発生させた。室内粉塵濃度は、吸引ダクト中で粉塵計（ＫＡＮＯＭＡＸ  Ｍｏｄｅｌ３４５１）を用い、時間とともに推移する粉塵濃度を測定した。
【００７２】
図１２に、標準排気（対照例１）、本例の竜巻排気（試験例１）および瞬時一様拡散理論値の経過時間ごとの室内粉塵濃度の推移を示す。図１２に示すように、最初の３０秒ほどは不安定であるが、その後は、本例の竜巻排気の粉塵低下が速く、９０％低下の経過時間を比較すると、本例の竜巻排気が４６秒、標準排気が７４秒、瞬時一様拡散理論値では１０２秒であり、９５％では、本例の竜巻排気が５９秒、標準排気が１２２秒、瞬時一様拡散理論値では１４２秒となり、竜巻排気の粉塵濃度低下時間が明らかに短いことが示された。
【００７３】
より詳細には、試験例１である本例の竜巻排気の室内粉塵濃度は、対照例１である標準排気の室内粉塵濃度と比較すると、９０％低下するのに必要な時間は約０．６２倍（４６／７４倍）に短縮され、９５％低下するのに必要な時間は約０．４８倍（５９／１２２倍）に短縮されている。
したがって、試験例１では、本例と同様に、旋回気流を生成するとともに旋回気流の中心付近の吸入口から吸引することにより、吸入口に向かう竜巻状旋回流が発生して、速やかに吸引口に吸引されることが確認できた。
【実施例２】
【００７４】
図１３および図１４に、本発明の他の実施形態を示す室内空気清浄システム１００を示す。この室内空気清浄システム１００と図１に示す室内空気清浄システム１との相違点は、ひとつのスリット３１に代えて空気清浄機１６０の排出空気の一部を室内に戻して循環させるようにした点である。すなわち、空気清浄機１６０を室１３０内に置くとともに排出口６５から室１３０外に清浄化した空気８を排出ダクト１３９から排出するのみならず、この一部を空気清浄機１６０の機械本体１６１の側面に設けた循環スリット１３１から排出している。循環スリット１３１は、排出ダクト１３９に接続している。その結果、スリット３１をひとつ省略できるから、室１３０の設置場所についての制約が少なくなる。具体的には、ビル内などの屋内のコーナー部に室１３０を設置することができるようになる。その他の構成、作用は図１から３に示す実施形態と同様なので、図面に同じ符号を付して説明を省略する。
【００７５】
（空気清浄機）
空気清浄機１６０は、吸引口６４および排出口６５を有し、機械本体６１内には粒子除去機構６２と臭気除去機構６３とこの下流にファン６７とが内蔵されている。
排出口６５は、機械本体６１に設けられ、清浄にされた排出空気８の一部は、循環スリット１３１から側壁３７に沿って室内に循環させており、進入気流９の一部を形成する。循環スリット１３１は、整流機能を有するようにその構造もスリット３１と同様に、枠１３１ｂの中に空気が通過する断面がほぼ正方形の管状部材１３１ａを格子状に積層している。
【００７６】
本例では室３０がほぼ正方形であり、そのコーナー部３６にスリット３１が設けられるとともに対角線上のコーナー部３６に循環スリット１３１を有する空気清浄機１６０が設けられている。このスリット３１からの進入気流９と循環スリット１３１からの排出気流である進入気流９とにより、室３０の中心部に旋回気流１０が発生する。さらに、室３０内の天井のほぼ中心部に設けられた吸引口３３からの吸引との相乗により、吸引口３３に向かう竜巻状旋回流１１を発生させる。
なお、本例の空気清浄機１６０の設置場所は、対角線上の部屋のコーナー部に設けられているが、旋回気流１０が発生することができれば他の位置でもよい。
【００７７】
（室内空気清浄システム１００の作用）
室内空気清浄システム１００の作用は、基本的に、実施例１と同様である。
【００７８】
ファン６７を作動させると、空気は吸引口６４から機械本体６１内に入り、まず、プレフィルター６２ａにより空気中に浮遊している粗い粒子が除去される。次に、電気集塵装置６２ｂにより、空気中に浮遊している細かい粒子が除去され、さらに、機械式フィルター６２ｃにより、電気集塵装置６２ｂによって除去出来なかった細かい粒子が除去される。
【００７９】
粒子除去機構６２のプレフィルター６２ａ、電気集塵装置６２ｂおよび機械式フィルター６２ｃにより、空気中に含まれる浮遊粒子成分をほほ除去された空気は、続いて、機械本体６１の臭気除去機構６３に入る。臭気除去機構６３は、活性炭室６３ａと活性炭ユニットアセンブリー６６ｓにより構成され、活性炭室６３ａは、活性炭ユニットアセンブリー６６ｓにより、サブチャンバー６３ａ１〜ａ６が形成されている。活性炭室６３ａ内に入った空気は、活性炭６６ａにより臭気を発するガス成分が吸収され、排出口６５から空気清浄機１６０の外に排出される。
【００８０】
空気清浄機１６０を作動させることで、進入気流６、９により室３０内に旋回気流１０を発生させ、室３０の中心部に配設した吸引口６４に向かう竜巻状旋回流１１を発生させる。これにより、室内空気清浄システム１００は、屋外に換気を要することなく補助の空調機器を必要としないで省エネルギーを図りながら能率的に室内の空気を清浄にすることができる。
【００８１】
以上、本発明の実施の形態について、実施例をあげて説明したが、本発明は上記した実施の形態に限定されるものではない。
【産業上の利用可能性】
【００８２】
本発明の室内空気清浄システムは、喫煙室をはじめ複数の人間等が居住したり仕事を行ったりする閉鎖空間における空気清浄の分野に利用できる。
【図面の簡単な説明】
【００８３】
【図１】本発明の室内空気清浄システムの実施形態（実施例１）を示す模式平面図である。
【図２】図1に示す室内空気清浄システムのＡ−Ａ視断面図である。
【図３】図1に示す空気清浄機の正面パネルを開けた模式正面図である。
【図４】（ａ）は、図１に示す空気清浄機の内部を模式的に示したもので、（ｂ）は（ａ）のＣ−Ｃ視模式断面図である。
【図５】図３の空気清浄機の吸着剤ケースの斜視図である。
【図６】図３の空気清浄機の吸着剤ユニットアセンブリーの模式側面図である。
【図７】図３の吸着剤室の斜視概念図である。
【図８】図７の吸着剤室の内部の空気の流れを示した図である。
【図９】図７の吸着剤室の中のガイド板を設けたものの空気の流れを示した図である。
【図１０】図１の室内空気清浄システムのスリットの斜視図である
【図１１】（ａ）は、図１０のスリットの部分拡大図であり、（ｂ）は、スリットを構成する管状部材の一つの斜視図である。
【図１２】室内における粉塵濃度と時間との関係を示す実験結果の特性図である。
【図１３】本発明の室内空気清浄システムの他の実施形態（実施例２）を示す模式平面図である。
【図１４】図１３に示す室内空気清浄システムのＢ−Ｂ視断面図である。
【符号の説明】
【００８４】
１  室内空気清浄システム（実施例１）
６  進入気流
７  未清浄の空気
８  清浄にした空気
９  進入気流
１０  旋回気流
１１  竜巻状旋回流
１２  空気の流れ
１３  空気入側開口
１４  空気出側開口
２０  吸入空気通路
２０ａ  上流側
２０ｂ  下流側
２２  排出空気通路
２２ａ  上流側
２２ｂ  下流側
２４  空気通過面
２４ａ  通過面入側
２４ｂ  通過面出側
３０  室（喫煙室）
３１  スリット
３１ａ  管状部材
３３  吸入口
３４  天井
３５  床面
３６  コーナー部
３７  側壁
３８  吸引ダクト
３９  排出ダクト
６０  空気清浄機
６１  機械本体
６２  粒子除去機構
６２a  プレフィルター
６２b  電気集塵器
６２ｃ  機械式フィルター
６３  臭気除去機構
６３a  吸着剤室(活性炭室)
６３  ａｓサブチャンバー
６３  ａｓｉ入側サブチャンバー
６３  ａｓｏ出側サブチャンバー
６４  吸引口
６５  排出口
６６  吸着剤ユニット（活性炭ユニット）
６６ａ  吸着剤（活性炭）
６６ｂ  吸着剤ケース（活性炭ケース）
６６ｂ１  底板
６６ｂ２  枠柱
６６ｂ３  蓋
６６ｂ４  網
６６ｃ  結合部材
６６ｓ  吸着剤ユニットアセンブリー（活性炭ユニットアセンブリー）
６６ｓ１〜６  吸着剤ユニットアセンブリー（活性炭ユニットアセンブリー）
６７  ファン
６９  ガイド板
６９ａ  入側ガイド板
６９ｂ  出側ガイド板
１００  室内空気清浄システム（実施例２）
１３０  室
１３１  循環スリット
１３１ａ  管状部材
１６０  空気清浄機
ｌ：奥行
ｄ：幅
【図１】
2015152273.tif 000003
【図２】
2015152273.tif 000004
【図３】
2015152273.tif 000005
【図４】
2015152273.tif 000006
【図５】
2015152273.tif 000007
【図６】
2015152273.tif 000008
【図７】
2015152273.tif 000009
【図８】
2015152273.tif 000010
【図９】
2015152273.tif 000011
【図１０】
2015152273.tif 000012
【図１１】
2015152273.tif 000013
【図１２】
2015152273.tif 000014
【図１３】
2015152273.tif 000015
【図１４】
2015152273.tif 000016